(57)【要約】【課題】本考案は、立体状に復元する能力が十分に備わっており、長期間折り畳み状態が続いてもうまく起立する折り畳み式立体ラベルを提供することにある。【解決手段】本考案に係る折り畳み式立体ラベルＡは、少なくとも１箇所の折り目１を有し、前記折り目１により区切られる第１区画部１１と第２区画部１２とが形成され、前記第２区画部１２の一方の面を接着面１２ｂとし、他方の面を非接着面１２ａとし、第２区画部１２の非接着面１２ａ上に第１区画部１１を折り曲げて２つ折りに折り畳むことを可能にしたものである。【選択図】        図５
0003121981.tif 000002
【実用新案登録請求の範囲】
【請求項１】
少なくとも１箇所の折り目を有し、
前記折り目により区切られる第１区画部と第２区画部とが形成され、
前記第２区画部の一方の面を接着面とし、他方の面を非接着面とし、
第２区画部の非接着面上に第１区画部を折り曲げて２つ折りに折り畳むことが可能である
ことを特徴とする折り畳み式立体ラベル。
【請求項２】
第１折り目と第２折り目との２箇所の折り目を有し、
前記第１折り目により区切られる第１区画部と、第１折り目と第２折り目とにより区切られる第２区画部と、第２折り目により区切られる第３区画部とが形成され、
前記第２区画部の一方の面を接着面とし、他方の面を非接着面とし、
第２区画部の非接着面上に第３区画部を折り曲げて２つ折りにし、この折り曲げた第３区画部上に第１区画部を折り曲げて２つ折りにすることにより、全体を３つ折りに折り畳むことが可能である
ことを特徴とする折り畳み式立体ラベル。
【請求項３】
第１折り目と第２折り目とが平行であることを特徴とする請求項２に記載の折り畳み式立体ラベル。
【請求項４】
第１折り目と第２折り目とが平行でないことを特徴とする請求項２に記載の折り畳み式立体ラベル。
【請求項５】
展開状態における折り畳み式立体ラベルが矩形であることを特徴とする請求項１〜４のいずれか１項に記載の折り畳み式立体ラベル。
【請求項６】
展開状態における折り畳み式立体ラベルが矩形でないことを特徴とする請求項１〜４のいずれか１項に記載の折り畳み式立体ラベル。
【請求項７】
折り畳み式立体ラベルが折り曲げに対する復元性を有する紙材からなることを特徴とする請求項１〜６のいずれか１項に記載の折り畳み式立体ラベル。
【考案の詳細な説明】
【技術分野】
【０００１】
本発明は展示商品等に貼着して立体表示機能をもたせた折り畳み式立体ラベルに関する。
【背景技術】
【０００２】
従来の表示ラベルは、シート上に商品名等を印刷したものを所定のサイズに切り抜いて各種商品に貼着して使用されている。これらは平面的に貼着したものであり、展示商品の表示機能としては目を惹き付ける効果に乏しいものではなかった。そこで、下記特許文献等に示されるように、折り畳み式の立体型ラベルも使用されている。
【特許文献１】特開２０００−２７６０４８
【特許文献２】昭和６２年実用新案出願公開第６９７７号
【特許文献３】昭和５７年実用新案出願公開第５４１７３号
【考案の開示】
【考案が解決しようとする課題】
【０００３】
しかしながら、上記従来の折り畳み式立体型ラベルは、立体状に復元する能力が乏しく、長期間折り畳み状態が続くとうまく起立しなくなる場合があった。
【０００４】
そこで、本考案者は、立体状に復元する能力が十分に備わっており、長期間折り畳み状態が続いてもうまく起立する折り畳み式立体ラベルを考案した。
【課題を解決するための手段】
【０００５】
本考案に係る折り畳み式立体ラベルは、少なくとも１箇所の折り目を有し、前記折り目により区切られる第１区画部と第２区画部とが形成され、前記第２区画部の一方の面を接着面とし、他方の面を非接着面とし、第２区画部の非接着面上に第１区画部を折り曲げて２つ折りに折り畳むことが可能であることを特徴とするものである。
【０００６】
また、本考案に係る折り畳み式立体ラベルは、第１折り目と第２折り目との２箇所の折り目を有し、前記第１折り目により区切られる第１区画部と、第１折り目と第２折り目とにより区切られる第２区画部と、第２折り目により区切られる第３区画部とが形成され、前記第２区画部の一方の面を接着面とし、他方の面を非接着面とし、第２区画部の非接着面上に第３区画部を折り曲げて２つ折りにし、この折り曲げた第３区画部上に第１区画部を折り曲げて２つ折りにすることにより、全体を３つ折りに折り畳むことが可能であることを特徴とするものである。当該構成において、第１折り目と第２折り目とが平行である構成してもよく、平行でない構成としてもよい。
【０００７】
さらに、上記の各構成において、展開状態における折り畳み式立体ラベルが矩形である構成としてもよく、矩形でない構成としてもよい。さらに、上記構成において、折り畳み式立体ラベルが折り曲げに対する復元性を有する紙材からなる構成としてもよい。
【考案の効果】
【０００８】
本考案に係る折り畳み式立体ラベルは、貼着される第２区画部に対して第１区画部が起立する状態となる。また、第３区画部を有する構成とした折り畳み式立体ラベルにおいては、第１区画部の折り曲げに対する復元力が低下しても、第３区画部の復元力が第１区画部が起立するのを補助するので、折り畳み状態が長期間続いても具合よく起立することになる。また、ラベルが折り曲げに対する復元性を有する紙材からなる構成とした場合には、その効果がより一層顕著に表れて好適である。
【考案を実施するための最良の形態】
【０００９】
以下、本考案に係る折り畳み式立体ラベル（以下、「ラベル」という）の実施例を添付の図面に基づいて詳細に説明する。
【実施例１】
【００１０】
図１は本考案に係るラベルの展開状態の表面図であり、図２はラベルの展開状態の裏面図であり、図３はラベルを貼付し、その上に物品を載置してラベルが折り畳まれた状態を表す側面図であり、図４はラベルが、その折り畳み状態から起立状態に変化している状態を表す側面図であり、図５はラベルが起立した状態を表す側面図であり、図６はラベルが起立した状態を表す斜視図である。
【００１１】
図１において、Ａは本実施例に係るラベルを示しており、折り目１が形成されている。折り目１によって区切られる図において左部側は第１区画部１１を形成し、１１ａは第１区画部１１の表面を表す。折り目１によって区切られる図において右部側は第２区画部１２を形成し、１２ａは第２区画部１２の表面を表す。また、図２において、１１ｂは第１区画部１１の裏面を表し、１２ｂは第２区画部１２の裏面を表す。そして、前記第２区画部の裏面１２ｂは接着面として接着剤が塗布されており、それ以外の第１区画部の表面１１ａ、第２区画部の表面１２ａ及び第１区画部の裏面１１ｂは、接着剤が塗布されていない非接着面である。そして、第１区画部の表面１１ａは広告などを印刷する主たる表示部となるが、それ以外の非接着面も適宜に表示部として使用することができる。
【００１２】
上記のような構成に係るラベルＡにおける接着面である第２区画部の裏面１２ｂを、例えばパッケージ等の蓋Ｂに貼付し、第２区画部の表面１２ａ上に第１区画部の表面１１ａを折り曲げて２つ折りにすることにより、ラベルＡはその全体が２つ折りに折り畳まれ、図３に示すように、その上に他のパッケージを載置して積み重ねることができる。Ｂ’は他のパッケージの底板である。そして、図３に示す状態からラベルＡ上に載置されているパッケージを取り除くと、ラベルＡは、第１区画部１１の折り曲げに対する復元力により、図４に示すように、第１区画部１１が矢印ａの方向に起立し始める。そして、図５に示すように、第１区画部１１が傾斜状態で起立することになり、図６に示すように、ラベルＡの立体状態が完成する。なお、必ずしも、図５に示すような状態にならずとも、第１区画部１１が立体状に起立すれば目的は達成される。
【００１３】
なお、上記の実施例においては、ラベルＡが矩形である例を示したが、矩形でない構成としてもよい。さらに、上記構成において、ラベルＡが折り曲げに対する復元性を有する紙材からなる構成としてもよい。その場合には、第１区画部１１の復元力が高まり、起立性が向上し、効果がより一層顕著に表れる。
【実施例２】
【００１４】
図７は本考案に係るラベルの展開状態の表面図であり、図８はラベルの展開状態の裏面図であり、図９はラベルを貼付し、その上に物品を載置してラベルが折り畳まれた状態を表す側面図であり、図１０はラベルが、その折り畳み状態から起立状態に変化している状態を表す側面図であり、図１１はラベルが起立した状態を表す側面図であり、図１２はラベルが起立した状態を表す斜視図である。
【００１５】
図７において、Ａ’は本実施例に係るラベルを示しており、第１折り目１’と第２折り目２’が形成されている。第１折り目１’によって区切られる図において左部側は第１区画部１１’を形成し、１１ａ’は第１区画部１１’の表面を表す。第１折り目１’と第２折り目２’とによって区切られる中間部は第２区画部１２’を形成し、１２ａ’は第２区画部１２’の表面を表す。第２折り目２’によって区切られる図において右部側は第３区画部１３’を形成し、１３ａ’は第３区画部１３’の表面を表す。また、図８において、１１ｂ’は第１区画部１１’の裏面を表し、１２ｂ’は第２区画部１２’の裏面を表し、１３ｂ’は第３区画部１３’の裏面を表す。そして、前記第２区画部の裏面１２ｂ’は接着面として接着剤が塗布されており、それ以外の第１区画部の表面１１ａ’、第２区画部の表面１２ａ’、第３区画部の表面１３ａ’、第１区画部の裏面１１ｂ’及び第３区画部の裏面１３ｂ’は、接着剤が塗布されていない非接着面である。そして、第１区画部の表面１１ａ’は広告などを印刷する主たる表示部となるが、それ以外の非接着面も適宜に表示部として使用することができる。
【００１６】
上記のような構成に係るラベルＡ’における接着面である第２区画部の裏面１２ｂ’を、例えばパッケージ等の蓋Ｂに貼付し、第２区画部の表面１２ａ’上に第３区画部の表面１３ａ’が向き合うように折り曲げて２つ折りにし、この折り曲げた第３区画部の裏面１３ｂ’上に第１区画部の表面１１ａ’を折り曲げて２つ折りにすることにより、ラベルＡ’はその全体が３つ折りに折り畳まれ、図９に示すように、その上に他のパッケージを載置して積み重ねることができる。Ｂ’は他のパッケージの底板である。そして、図９に示す状態からラベルＡ’上に載置されているパッケージを取り除くと、ラベルＡ’は、第１区画部１１’の折り曲げに対する復元力により、図１０に示すように、第１区画部１１’が矢印ａの方向に起立し始め、それと同時に第３区画部１３’も矢印ｂの方向に起立し始める。そして、図１１に示すように、第１区画部１１’が傾斜状態で起立し、第３区画部１３’が第１区画部１１’を支える状態で起立することになり、図１２に示すように、ラベルＡ’の立体状態が完成する。なお、必ずしも、図１１に示すような状態にならずとも、第１区画部１１’が立体状に起立すれば目的は達成される。しかし、ラベルＡ’の折り畳み状態が長期間続いて第１区画部１１’の折り曲げに対する復元力が低下した場合でも、第３区画部１３’の復元力が第１区画部１１’を支持し、その起立を補助するので、第１区画部１１’が具合よく起立することになる。
【００１７】
なお、上記の実施例においては、第１折り目１’と第２折り目２’とが平行である例を示したが、平行でない構成としてもよい。また、上記の実施例においては、ラベルＡ’が矩形である例を示したが、矩形でない構成としてもよい。さらに、上記構成において、ラベルＡ’が折り曲げに対する復元性を有する紙材からなる構成としてもよい。その場合には、第１区画部１１’の復元力が高まり、起立性が向上し、かつ第３区画部１３’の支持力も高まるので、効果がより一層顕著に表れる。
【産業上の利用可能性】
【００１８】
本考案に係る折り畳み式立体ラベルは、商品のパッケージや、商品そのものに貼付して使用することができ、また、種々のディスプレイように使用できる。また、ラベルにおける表示部には、商品名、広告、価格、その他必要に応じて種々の表示を行うことができ、幅広い分野に利用できるものである。
【図面の簡単な説明】
【００１９】
【図１】本考案に係る折り畳み式立体ラベルの展開状態の表面図である。
【図２】本考案に係る折り畳み式立体ラベルの展開状態の裏面図である。
【図３】本考案に係る折り畳み式立体ラベルを貼付し、その上に物品を載置して折り畳み式立体ラベルが折り畳まれた状態を表す側面図である。
【図４】本考案に係る折り畳み式立体ラベルが、その折り畳み状態から起立状態に変化している状態を表す側面図である。
【図５】本考案に係る折り畳み式立体ラベルが起立した状態を表す側面図である。
【図６】本考案に係る折り畳み式立体ラベルが起立した状態を表す斜視図である。
【図７】本考案に係る折り畳み式立体ラベルの展開状態の表面図である。
【図８】本考案に係る折り畳み式立体ラベルの展開状態の裏面図である。
【図９】本考案に係る折り畳み式立体ラベルを貼付し、その上に物品を載置して折り畳み式立体ラベルが折り畳まれた状態を表す側面図である。
【図１０】本考案に係る折り畳み式立体ラベルが、その折り畳み状態から起立状態に変化している状態を表す側面図である。
【図１１】本考案に係る折り畳み式立体ラベルが起立した状態を表す側面図である。
【図１２】本考案に係る折り畳み式立体ラベルが起立した状態を表す斜視図である。
【符号の説明】
【００２０】
Ａ・・・・折り畳み式立体ラベル
Ｂ・・・・パッケージ等の蓋
Ｂ’・・・パッケージ等の底板
１・・・・折り目
１１・・・第１区画部
１１ａ・・第１区画部の表面
１１ｂ・・第１区画部の裏面
１２・・・第２区画部
１２ａ・・第２区画部の表面
１２ｂ・・第２区画部の裏面
Ａ’・・・折り畳み式立体ラベル
１’・・・第１折り目
２’・・・第２折り目
１１’・・第１区画部
１１ａ’・第１区画部の表面
１１ｂ’・第１区画部の裏面
１２’・・第２区画部
１２ａ’・第２区画部の表面
１２ｂ’・第２区画部の裏面
１３’・・第３区画部
１３ａ’・第３区画部の表面
１３ｂ’・第３区画部の裏面
【図１】
0003121981.tif 000003
【図２】
0003121981.tif 000004
【図３】
0003121981.tif 000005
【図４】
0003121981.tif 000006
【図５】
0003121981.tif 000007
【図６】
0003121981.tif 000008
【図７】
0003121981.tif 000009
【図８】
0003121981.tif 000010
【図９】
0003121981.tif 000011
【図１０】
0003121981.tif 000012
【図１１】
0003121981.tif 000013
【図１２】
0003121981.tif 000014